(57)【要約】      （修正有）【課題】フローリングワイパーにおいて、スペアーはワイパー本体に付属していないため、別々に保管されていた。スペアーシートは、スペアーの箱に折りたたまれ保管されている。その為、初期に商品を購入した時付属している、数枚のスペアーシートが保管できず、紛失したり、スペアーの箱そのものの保管場所が不明になる問題が発生していた。その為、スペアーを無駄にしたりスペアーを捜す手間があったり、広い意味で資源の無駄使いが見られた。特に業務用において、シートの交換が不便なため、誰もが簡単に交換できて、シートを無駄なく使用し、連続使用における利便性の改善。【解決手段】スペアー５を本体に付属した構造を有するシート用ワイパー類を提案し、且つそのスペアー５をロール型等にし、本体に付属した。それ以外のスペアー５も、壁掛け式となるよう改善した。【選択図】  図１
2004290550.tif 000002
【特許請求の範囲】
【請求項１】
スペアーを本体に付属した構造を有するシート用ワイパー類
【請求項２】
ロール型シートスペアーを本体に付属した構造を有するシート用ワイパー類
【請求項３】
フックを有するスペアー保管容器
【請求項４】
折りたたみ式シートスペアーを付属した構造を有するワイパー類である。
【請求項５】
ロール型シートスペアーを本体に付属し、巻き取り器がある構造を有したシート用ワイパー類
【発明の詳細な説明】
【０００１】シート用ワイパー類は、清掃用としては、ハードフロアー、フローリング、畳み、網戸、トイレ等の清掃に使用されている。構造は先端にヘッド部があり、その下部面にシートを固定し、床面と接触させ、擦ることにより、汚れを取る構造を有する。ヘッド部よりハンドルが上に配置されているが、長いハンドルの場合もあるし、ハンディタイプの場合もある。その汚れは、シートに捕獲、吸着される。シートの汚れが多くなると清掃の機能が低下する。その為、新しいシートに交換し、再び清掃能力を持たせて清掃できる仕組みとなっている。
【０００２】
（請求項１）において、シートとは、極細繊維及び不織布及び吸い取り紙及びフェルトあるいは、繊維状シートを指す。ワイパー類とは、床用清掃ワイパー、フローリングワイパー、清掃ワイパー、畳ワイパー、網戸ワイパー、ワックスワイパー、トイレワイパー、吸水ワイパー等がある。最近において、電気用品はじめ、清掃ローラーと清掃シートを組み合わせた清掃機器が上市されている。本発明は、その機器類に対しても適用される。スペアーは、使用しているシートの交換の際交換され使用される。使用中のシートと同一のシートである。ワイパー本体とは、ベース部及びハンドル部を含めたワイパー全体を意味する。本発明は、シートスペアーを本体ヘッド部に付属した構造を有するシート用ワイパーである。ヘッド部上部にスペアー格納部を付属させて、スペアーを保管している。使用後の汚れたシートを交換する際に、ロールスペア固定用のねじを緩めて、使用後の汚れたシートを取り外して廃棄し、スペアー保管部より新しいシートを引き出してヘッド下部に取り付ける。交換されたシートは、両側のワニ口クリップで固定される。シートの固定用具については、他の板ばねのはさみ込み方式、部品の嵌め合わせによる方式等がある。また、付属している内部のスペアの固定方法は、両側より紙芯を挟み込む固定方式を使用した。その後、固定ねじを締めて保管部内のローラースペアーを固定し清掃を始める仕組みとなっている。ローラー型スペアーで説明したが、折りたたみ式のスペアーを使用してもよい、また、その他の形式のスペアーを用いても良い。その中で、最も良いと考えられるローラー型スペアーを請求項２で提案する。
【０００３】
（請求項２）は、ローラー型の構造を有したスペアーであり、中に紙の芯があり、それにシートを巻きつけている。シートはシートの一単位長さでミシン目が入れてあり、そこを切り開いてシートを切り離し交換することが出来る。スペアーの形状については、折りたたみ式もあるが、軽量且つコンパクト設計が可能であり、且つシート交換が簡単なローラー方式を推薦する。ワイパー本体が重くて大きく扱いにくくならないように、コンパクト設計がなされている。また、ローラー芯については、できるだけ廃棄物が少なくなるうに小さい径の芯が使用され、環境配慮がなされている。スペアーシート全部がなくなると、蓋を開けて、芯を取り出して、新しいスペアーを入れる。上蓋全体を開けてスペアーを挿入する方式と、横蓋をより、挿入する方式等いろいろと考えられる。今回は、上蓋を開けてスペアーを挿入する方式とした。シートの先端はスリットより出して、入れ替えた後は、上蓋を締めて使用する。
【０００４】
（請求項３）は、フックを有するスペアーシートの保管容器を提案する。外部ローラースペアーは、この保管器に保管されており、壁掛け用になっている。スペアーの保管場所がとても、分かりやすい。又いつでも、シートをミシン目から切り離してシートのみで拭き掃除等に使用できる。使用し易く、保管場所も分かり易く、忘れる事はないよう工夫されている。室内用として、ビビッドなカラーの容器を考案してもよい。簡単ではあるが、シートスペアーの保管場所の不具合より提案したものである。
【０００５】
（請求項４）は、折りたたみ式シートスペアーを付属した構造を有するワイパー類である。シートの使用後は、上部蓋より新しいシートを引き出して交換する。シートはワニ口クリップで固定する。
【０００６】
（請求項５）は、ロール型シートスペアーを付属し、巻き取り器がある構造を有したワイパー類である。請求項２において、ロール型シートスペアーを付属した構造を有するワイパーにおいて、使用後のシートはミシン目を切り離して、廃棄される。本発明は、使用後のシートは、巻き取り着により軸２に巻き取られる。保管部に保管されているスペアーシートは古いシートが巻き取られるのに伴い、床面に移動し、セットされ交換される。これにより、古いシートをその都度廃棄する必要がなくなり、シート交換においても、より簡単に交換することが出きる。
【発明の属する技術分野】
【０００７】この発明は、シート用ワイパー類の構造と機能に関する。
【従来の技術】
【０００８】具体的な説明を要するために、従来のフローリングワイパーについて説明を行う。フローリングワイパーにおいては、スペアーは、ワイパー本体に付属していないため、別々に保管されていた。スペアーシートは、スペアーの箱に折りたたまれ保管されている。
【０００９】その為に、初期に商品を購入した時付属している、数枚のスペアーシートが、保管できず、無くなったり、スペアーの箱そのものの保管場所が不明になる問題が発生していた。スペアーを無駄にしたりスペアーを捜す手間があったり、広い意味で資源の無駄使いが見られた。
【００１０】そして、スペアーの保管場所が一部の人しか分からないので、誰でも簡単にシートの取り替えが出来ない問題点があった。スペアーの取り替えの利便性、誰でも簡単にスペアー交換ができないので、不便を感じられ、一部においてスペアーの保管場所が分からず再度購入したり、また、少し残っているスペアーが行方不明になったり、資源の浪費が見られた。
【００１１】また、特に業務用においては、広い場所、長い廊下、大きなロビー、各部屋等広範囲の清掃が必要となり、スペアーシートを持参することを忘れたりすることがあった。また、それをスペアーを持参するのが不便だった。その為連続的な作業が不便となっていた。特に業務用において、シートを交換が不便なため、清掃作業の連続作業をする上で改善が求められていた。
【発明が解決しようとする課題】
【００１２】本発明の解決する課題の基本点は次の３点である。シート用ワイパーにおいて、誰もが簡単に使用できる、限られた資源を有効に使う、連続使用する上での利便性を改善した。
【００１３】本発明は、ワイパー類のシート状材料を取替える際にスペアーを探す無駄な時間をなくし、誰もが簡単にシート用スペアーの取り替えが出きるように考案された。保管場所が分からなくなって、スペアーを失ったりする、資源の無駄使いをなくすために考えられた。
誰でも簡単にシート交換が出来て、簡単にきれいなシートで使用できる機能を有したワイパー類である。これは、広い意味でのＵＤ対応商品であり、資源の浪費を抑える環境配慮商品ともいえる。また、スペアーの付属機能により、特に業務用において、広範囲の場所における連続的清掃作業を実現することにある。
【課題を解決するための手段】
【００１４】以上の課題を解決するために、（請求項１）の発明は、スペアーを本体に付属した構造を有するシート用ワイパー類である。これにより、スペアーは絶えずワイパー類本体に付属し、いつでも誰でも簡単にスペアーを交換できる。また、請求項２は、ロール型スペアーを本体に付属した構造を有するシート用ワイパーである。これにより、スペアーの交換においても簡単な動作で交換が可能となり、軽量かつ、コンパクトな設計が可能となった。
【００１５】（請求項２）の発明は、ロール型スペアーを本体に付属した構造を有するシート用ワイパー類である。スペアーシートの形状については、折りたたみ式もあるが、軽量且つコンパクト設計が可能であり、且つシート交換が簡単なローラー方式を推薦する。ワイパー本体が重くて大きく扱いにくくならないように、コンパクト設計がなされている。また、ローラー芯については、できるだけ廃棄物が少なくなるうに小さい径の芯が使用され、環境配慮がなされている。
【００１６】（請求項３）は、フックとスリットを有するスペアーシートの保管容器を提案する。壁掛け用フックを使用し壁に掛けて保管する。そして、保管中でも、シートスペアーのみを保管容器より引き出し、ミシン目から切り離し、シートだけで清掃作業が可能となっている。シートを使用し易く、保管場所も分かり易く、忘れる事はないよう工夫されている。また、ワイパーで拭くことができないテーブル、テレビ等の拭くことができる。
【００１７】（請求項４）は、折りたたみ式シートスペアーを付属した構造を有するワイパー類である。シートの使用後は、上部蓋より新しいシートを引き出して交換する。シートはワニ口クリップで固定する。
【００１８】（請求項５）は、ロール型シートスペアーを本体に付属し、巻き取り器がある構造を有したシート用ワイパー類である。シートの使用後は、軸２を回転させるだけで、使用後のシートを巻き取り、新しいシートをヘッド下部にセットすることができる。これにより、スペアーシートの保管と交換の利便性は、飛躍的によくなり、広い場所の清掃に必要な連続的な使用を確実なものとできた。使用後のシートの廃棄においても、まとめて廃棄することができ、より簡単となった。
【発明の実際の形態】
【００１９】（請求項１）のスペアーを付属した構造を有するシート用ワイパー類の実際の形態１を図１に示す。（請求項２）のローラー型スペアーの実際の形態２を図２に示す。（請求項３）のフックとスリットを有するスペアー保管容器を図３に示す。（請求項４）の、折りたたみ式シートスペアーを付属した構造を有するワイパー類を図４に示す。
（請求項５）のロール型シートスペアーを本体に付属し、巻き取り器がある構造を有したシート用ワイパー類の実際の形態を図５に示す。
【別の実施形態】を図６に示す。（従来のワイパー）を図７に示す。
【実施形態の効果】
【００２０】上記の図―１の実施形態により、本発明は、シート用ワイパー類において、シートのスペアーの保管方法を画期的に便利にしたものである。使用しているシート▲１▼が汚れると、ミシン目の部分を破り使用後のシートを廃棄する。次にスペアー保管部▲２▼より新しいシートを引き出す。紙芯は両側を板ばねや、ボス等にて簡単には回転しないように、内側から、押さえられている。新しいシートの先端部と反対側をワニ口クリップ▲３▼で固定しセットした後に使用する。スペアーが無くなれば、上蓋▲４▼を開けて、スペアー▲５▼を交換する。
【００２１】図―２の実施形態において、円形の紙芯▲１▼にスペアーシート▲２▼が巻かれている。１枚分ずつ、切り取りミシン目▲３▼が付けられている。使用後は、このミシン目でシートを切り離し廃棄する。シートが無くなれば、紙芯を廃棄する。一般のフロアシートで、紙芯が１５ｍｍで３０枚のスペアーシートで外径が約５０ｍｍとなります。これにより、スペアーシートの取り替えにおいて、簡単に交換できる構造を有することができた。軽量且つコンパクトにワイパーに無理なく付属させることができて、使用中においても、使い易い構造のワイパーが提案することができた。
【００２２】図―３の実際の形態において、フック▲１▼を使用して、壁掛けでスペアーを保管出きるようになり、シート▲２▼を引き出して使用することが出きるようになった。これにより、シートスペアーの保管場所が、より明確になり、資源の有効活用と、誰にでも分かりやすい使用が可能となる。シートスペアーを保管容器▲３▼にいれて、スリット▲４▼より引き出して使用する構造としてもよい。
【００２３】図−４の実際の形態において、折りたたみシートスペア保管部▲１▼を本体に付属した構造を有するワイパー類を提案する。上部のスリット▲２▼より、シート▲３▼を引き出して交換する。シートスペアーがなくなれば、開閉部▲４▼を開けて、折りたたみスペアーを入れる。開閉部を閉めて新しいシートをワニ口クリップ▲５▼で固定し清掃を始める。
【００２４】図５の実際の形態において、使用後のシート▲１▼を巻き取ることにより、新しいシート▲２▼と簡単に交換することができた。使用後のシートの廃棄においても、その都度廃棄する必要がなくなり、まとめて廃棄することができ、より、簡単に廃棄が出きるようになった。シート交換もより、簡単となった。シートの固定方法においても、各ローラーを固定する構造にし、ワニ口クリップあるいは、その他のクリップで固定する必要がなくなった。
【他の実施形態】
【００２５】図６に別の実施形態を示す。スペアーシートのロールを保管する筒▲１▼をワイパーハンドル部▲２▼に取り付けている。ばね式固定具▲３▼にて固定している。清掃の邪魔となり取り替えにおいても不便である。
【発明の効果】
【００２６】以上説明したように、本発明は、ワイパー類のスペアーを本体に付属する構造を有するワイパー類を提案することにより、画期的な機能を持つに至った。スペアー交換の際に、スペアーを捜すことなく、誰でも簡単出きるようになった。また、本体に付属していない、次のスペアーにおいても、壁掛け方式を採用して、保管場所を分かりやすくした。スペアーシートを失わずに無駄なく使うことができる画期的な発明である。広い意味での、ＵＤ商品であり、資源の有効利用という面で環境配慮商品である。また、業務用において、広範囲を清掃する場合、連続清掃をより簡単にできる機能を有したワイパーを提供することができた。本発明は、この３点を大幅に改善した画期的な効果を有する発明である。
【図面の簡単な説明】
【図１】（請求項１）のスペアーを付属した構造を有するシート用ワイパー類の実際の形態を示す図
【図２】（請求項２）のローラー型スペアーの実際の形態を示す図
【図３】（請求項３）のフックとスリットを有するスペアー保管容器を示す図
【図４】（請求項４）の、折りたたみ式シートスペアーを付属した構造を有するワイパー類を示す図
【図５】（請求項５）のロール型シートスペアーを本体に付属し、巻き取り器がある構造を有したシート用ワイパー類を示す図
【図６】（別の実施形態）を示す図
【図７】（従来のワイパー）を示す図
【符号の説明】
【図１】
2004290550.tif 000003
【図２】
2004290550.tif 000004
【図３】
2004290550.tif 000005
【図４】
2004290550.tif 000006
【図５】
2004290550.tif 000007
【図６】
2004290550.tif 000008
【図７】
2004290550.tif 000009